(57)【要約】【課題】印字テキストや印字態様の設定における操作者の操作労力を低減する。【解決手段】印字ラベル作成システムＬＳは、リーダ２００が、複数の無線タグＴにそれぞれ設けられた複数の無線タグ回路素子Ｔｏと無線通信を行うアンテナ２０３を有し、複数の無線タグ回路素子ＴｏのＩＣ回路部１５０より対応する印字領域Ｓｔの印字内容に関連する印字関連情報をそれぞれ取得し、ラベル作成装置３００が、ラベルテープ３０３を搬送するための搬送ローラ３０８と、リーダ２００で複数の無線タグ回路素子ＴｏそれぞれのＩＣ回路部１５０より取得した複数の印字関連情報に基づき生成された組み合わせ印字情報を用いて、搬送ローラ４０８で搬送されるラベルテープ３０３に印字を行う印字ヘッド３０５とを有する。【選択図】図６
2010099887.tif 000002
【特許請求の範囲】
【請求項１】
情報を記憶するＩＣ回路部と情報を送受信するタグアンテナとからなる無線タグ回路素子をそれぞれ有し、印字領域に印字がなされた複数の無線タグに対し、無線通信を行う無線タグ通信装置と、
前記無線タグ通信装置に接続され、印字付きラベルの作成を行うラベル作成装置と
を有する印字ラベル作成システムであって、
前記無線タグ通信装置は、
前記複数の無線タグにそれぞれ設けられた複数の前記無線タグ回路素子と無線通信を行う通信アンテナと、
前記複数の無線タグ回路素子の前記ＩＣ回路部より、対応する前記印字領域の印字内容に関連する印字関連情報をそれぞれ取得する情報取得手段と
を有し、
前記ラベル作成装置は、
被印字媒体を搬送するための搬送手段と、
前記無線タグ通信装置の前記情報取得手段で前記複数の無線タグ回路素子それぞれの前記ＩＣ回路部より取得した複数の前記印字関連情報に基づき、前記複数の印字関連情報の組み合わせに対応した組み合わせ印字情報を生成する印字情報生成手段と、
前記印字情報生成手段で生成した前記組み合わせ印字情報を用いて、前記搬送手段で搬送される前記被印字媒体に印字を行う印字手段と
を有する
ことを特徴とする印字ラベル作成システム。
【請求項２】
請求項１記載の印字ラベル作成システムにおいて、
前記ラベル作成装置は、
前記印字情報生成手段で生成した前記組み合わせ印字情報に基づく表示を行う表示手段を有する
ことを特徴とする印字ラベル作成システム。
【請求項３】
請求項２記載の印字ラベル作成システムにおいて、
前記表示手段は、
前記組み合わせ印字情報に基づき、前記印字手段により印字された後の前記印字付きラベルのイメージ表示を行う
ことを特徴とする印字ラベル作成システム。
【請求項４】
請求項１乃至請求項３のいずれか１項記載の印字ラベル作成システムにおいて、
前記ラベル作成装置は、
前記印字情報生成手段で生成した前記組み合わせ印字情報を用いた前記印字付きラベルの印刷開始を指示するための操作手段と、
前記操作手段により前記印刷開始が指示された場合、時間又は無線タグ枚数に関する所定範囲内において前記無線タグ通信装置の前記情報取得手段で取得したすべての前記印字関連情報の組み合わせに対応した組み合わせ印字情報を用いて前記印字を行い、前記印字付きラベルを作成するように、前記搬送手段、前記印字情報生成手段、及び前記印字手段を連携して制御する第１制御手段と
を有することを特徴とする印字ラベル作成システム。
【請求項５】
請求項４記載の印字ラベル作成システムにおいて、
前記第１制御手段は、
前記操作手段により前記印刷開始が指示された場合、前記無線タグ通信装置の動作開始後当該印刷開始指示があるまでに前記無線タグ通信装置の前記情報取得手段で取得したすべての前記印字関連情報の組み合わせに対応した組み合わせ印字情報を用いて前記印字を行い、前記印字付きラベルを作成するように、前記搬送手段、前記印字情報生成手段、及び前記印字手段を連携して制御する
ことを特徴とする印字ラベル作成システム。
【請求項６】
請求項４又は請求項５記載の印字ラベル作成システムにおいて、
前記複数の無線タグは、
前記印字手段による印字の際に操作者が固定的に利用可能な固定印字領域に関わる固定印字領域情報を前記印字関連情報として前記ＩＣ回路部に記憶し、前記固定印字領域、又は、前記固定印字領域に沿ったテキスト印字が前記印字領域に形成された第１無線タグと、
前記固定印字領域に対し配置されるテキスト情報を前記印字関連情報として前記ＩＣ回路部に記憶し、前記固定印字領域に対し配置されるテキスト印字が前記印字領域に形成された第２無線タグと
を含み、
前記第１制御手段は、
前記操作手段により前記印刷開始が指示される前に前記情報取得手段で前記第１無線タグ及び前記第２無線タグの前記ＩＣ回路部からそれぞれ取得した前記固定印字領域情報及び前記テキスト情報に基づき、前記固定印字領域情報に対応した固定印字領域の中に前記テキスト情報に対応したテキストが配置された態様の印字を実行し、前記印字付きラベルを作成するように、前記搬送手段、前記印字情報生成手段、及び前記印字手段を連携して制御する
ことを特徴とする印字ラベル作成システム。
【請求項７】
請求項４又は請求項５記載の印字ラベル作成システムにおいて、
前記複数の無線タグは、
前記固定印字領域に対し配置されるテキスト情報を前記印字関連情報として前記ＩＣ回路部に記憶し、前記固定印字領域に対し配置されるテキスト印字が前記印字領域に形成された第２無線タグと、
前記印字手段による印字の際に操作者が固定的に利用可能な固定印字領域に係わる固定印字領域情報、及び、前記固定印字領域に対し配置される見本テキスト情報を、前記印字関連情報として前記ＩＣ回路部に記憶し、前記固定印字領域と前記見本テキスト情報に基づく当該固定印字領域内の見本テキスト印字とが前記印字領域に形成された第３無線タグと
を含み、
前記第１制御手段は、
前記操作手段により前記印刷開始が指示される前に前記情報取得手段で前記第３無線タグ及び前記第２無線タグの前記ＩＣ回路部からそれぞれ取得した情報に基づき、前記第３無線タグに係わる前記固定印字領域情報に対応した固定印字領域の中に、前記第２無線タグに係わる前記テキスト情報に対応したテキストが配置された態様の印字を実行し、前記印字付きラベルを作成するように、前記搬送手段、前記印字情報生成手段、及び前記印字手段を連携して制御する
ことを特徴とする印字ラベル作成システム。
【請求項８】
請求項１乃至請求項３のいずれか１項記載の印字ラベル作成システムにおいて、
前記ラベル作成装置は、
前記無線タグ通信装置の前記情報取得手段における情報取得に関し、時間範囲、無線タグ枚数範囲、無線タグの種類の少なくとも１つに関する印刷開始条件が満たされたら、前記情報取得手段で取得した前記印字関連情報のうち当該印刷開始条件に係わる組み合わせに対応した組み合わせ印字情報を用いて前記印字を行い、前記印字付きラベルを作成するように、前記搬送手段、前記印字情報生成手段、及び前記印字手段を連携して制御する第２制御手段を有する
ことを特徴とする印字ラベル作成システム。
【請求項９】
請求項８記載の印字ラベル作成システムにおいて、
前記複数の無線タグは、
前記印字手段による印字の際に操作者が固定的に利用可能な固定印字領域に関わる固定印字領域情報を前記印字関連情報として前記ＩＣ回路部に記憶し、前記固定印字領域、又は、前記固定印字領域に沿ったテキスト印字が前記印字領域に形成された第１無線タグと、
前記固定印字領域に対し配置されるテキスト情報を前記印字関連情報として前記ＩＣ回路部に記憶し、前記固定印字領域に対し配置されるテキスト印字が前記印字領域に形成された第２無線タグと
を含み、
前記第２制御手段は、
前記情報取得手段において、１つの前記第１無線タグの前記ＩＣ回路部から前記固定印字領域情報が取得され、１つの前記第２無線タグの前記ＩＣ回路部から前記テキスト情報が取得された場合、前記固定印字領域情報に対応した固定印字領域の中に前記テキスト情報に対応したテキストが配置された態様の印字を実行し、前記印字付きラベルを作成するように、前記搬送手段、前記印字情報生成手段、及び前記印字手段を連携して制御する
ことを特徴とする印字ラベル作成システム。
【請求項１０】
請求項８記載の印字ラベル作成システムにおいて、
前記複数の無線タグは、
前記固定印字領域に対し配置されるテキスト情報を前記印字関連情報として前記ＩＣ回路部に記憶し、前記固定印字領域に対し配置されるテキスト印字が前記印字領域に形成された第２無線タグと、
前記印字手段による印字の際に操作者が固定的に利用可能な固定印字領域に係わる固定印字領域情報、及び、前記固定印字領域に対し配置される見本テキスト情報を、前記印字関連情報として前記ＩＣ回路部に記憶し、前記固定印字領域と前記見本テキスト情報に基づく当該固定印字領域内の見本テキスト印字とが前記印字領域に形成された第３無線タグと
を含み、
前記第２制御手段は、
前記情報取得手段において、１つの前記第３無線タグの前記ＩＣ回路部から前記固定印字領域情報及び前記見本テキスト情報が取得され、１つの前記第２無線タグの前記ＩＣ回路部から前記テキスト情報が取得された場合、前記第３無線タグに係わる前記固定印字領域情報に対応した固定印字領域の中に、前記第２無線タグに係わる前記テキスト情報に対応したテキストが配置された態様の印字を実行し、前記印字付きラベルを作成するように、前記搬送手段、前記印字情報生成手段、及び前記印字手段を連携して制御する
ことを特徴とする印字ラベル作成システム。
【発明の詳細な説明】
【技術分野】
【０００１】
本発明は、印字付きのラベルを作成するための印字ラベル作成システムに関する。
【背景技術】
【０００２】
従来、テープをロール状にカートリッジ内に収納し、ロールよりテープを繰り出しつつ所望の文字を印刷してラベルを作成するラベル作成装置が既に提唱されている（例えば、特許文献１参照）。
【０００３】
この従来技術においては、剥離紙を備えた基材テープ（ラミネートテープ）を巻回したロール（供給スプール）と、この基材テープに貼り合わされる被印字テープ（ラミネートテープ）を巻回したロール（テープスプール）とを備えている。これら２つのロールから上記基材テープ及び上記被印字テープをそれぞれ繰り出しつつ被印字テープに所定の印字を行い、印字後の被印字テープと上記基材テープとを貼り合わせて印字済みラベル用テープとする。そして、この印字済みラベル用テープを切断手段で所定長さに切断して印字付きラベルを作成する。
【特許文献１】特開２００７−２３３７８５号公報
【発明の開示】
【発明が解決しようとする課題】
【０００４】
上記従来技術においては、印字付きラベルに印字するテキストの入力や印字態様の設定は、ラベル作成装置に備えられた各種キーやボタン（あるいはラベル作成装置に接続された操作端末のキーやマウス）等を操作して行う必要がある。この場合、入力や設定の内容によっては操作が煩雑となり、操作者の操作労力が増大するおそれがあった。
【０００５】
本発明の目的は、印字テキストや印字態様の設定における操作者の操作労力を低減できる印字ラベル作成システムを提供することにある。
【課題を解決するための手段】
【０００６】
上記目的を達成するために、第１の発明は、情報を記憶するＩＣ回路部と情報を送受信するタグアンテナとからなる無線タグ回路素子をそれぞれ有し、印字領域に印字がなされた複数の無線タグに対し、無線通信を行う無線タグ通信装置と、前記無線タグ通信装置に接続され、印字付きラベルの作成を行うラベル作成装置とを有する印字ラベル作成システムであって、前記無線タグ通信装置は、前記複数の無線タグにそれぞれ設けられた複数の前記無線タグ回路素子と無線通信を行う通信アンテナと、前記複数の無線タグ回路素子の前記ＩＣ回路部より、対応する前記印字領域の印字内容に関連する印字関連情報をそれぞれ取得する情報取得手段とを有し、前記ラベル作成装置は、被印字媒体を搬送するための搬送手段と、前記無線タグ通信装置の前記情報取得手段で前記複数の無線タグ回路素子それぞれの前記ＩＣ回路部より取得した複数の前記印字関連情報に基づき、前記複数の印字関連情報の組み合わせに対応した組み合わせ印字情報を生成する印字情報生成手段と、前記印字情報生成手段で生成した前記組み合わせ印字情報を用いて、前記搬送手段で搬送される前記被印字媒体に印字を行う印字手段とを有することを特徴とする。
【０００７】
本願第１発明の印字ラベル作成システムは、作成される印字付きラベルにおける印字内容を、複数の無線タグそれぞれに記憶した情報の読み取り結果を合成することで容易に設定するものである。このとき、各無線タグの印字領域には、記憶情報に対応した印字がなされており、上記合成によって印字付きラベルに対し実現される最終的な印字がイメージしやすいようになっている。
【０００８】
すなわち、複数の無線タグにそれぞれ備えられた無線タグ回路素子のＩＣ回路部には、無線タグの印字領域の印字内容に関連した印字関連情報がそれぞれ記憶されている。それら複数の無線タグ回路素子に対し無線タグ通信装置の情報取得手段で読み取りが行われることで、印字関連情報が取得される。そして、このようにして複数の無線タグ回路素子から収集された印字関連情報に基づき、ラベル作成装置の印字情報生成手段が、それら複数の印字関連情報の組み合わせに対応した組み合わせ印字情報を生成する。そして印字手段は、その組み合わせ印字情報により被印字媒体に印字を行う。
【０００９】
以上のようにして、本願第１発明においては、操作者が複数の無線タグに対し情報読み取りを行うだけで、各無線タグの印字関連情報を組み合わせた情報を用いた印字を形成した（言い換えれば、各無線タグの印字領域の印字を組み合わせたものと同等の態様の）、印字付きラベルを作成することができる。この結果、操作者が所望の印字態様の印字付きラベルを作成したい場合は、その所望の印字態様を複数の印字パーツに分割し、各印字パーツにそれぞれ対応する複数の無線タグに対し順次情報読み取りを行うことで容易に当該印字付きラベルを完成することができる。この結果、ラベル作成装置の各種ボタンを操作したり操作端末を接続してキーやマウスを操作し、印字テキストの入力や印字態様の設定を行う場合に比べ、操作者の操作労力を大きく低減することができる。
【００１０】
第２発明は、上記第１発明において、前記ラベル作成装置は、前記印字情報生成手段で生成した前記組み合わせ印字情報に基づく表示を行う表示手段を有することを特徴とする。
【００１１】
これにより、複数の無線タグの印字関連情報を組み合わせることで最終的に実現される印字付きラベルへの印字態様を、操作者が視覚的に確認することができる。
【００１２】
第３発明は、上記第２発明において、前記表示手段は、前記組み合わせ印字情報に基づき、前記印字手段により印字された後の前記印字付きラベルのイメージ表示を行うことを特徴とする。
【００１３】
これにより、操作者は、最終的に実現される印字付きラベルへの印字イメージを、より実際に近い形で確実に確認することができる。
【００１４】
第４発明は、上記第１乃至第３発明のいずれかにおいて、前記ラベル作成装置は、前記印字情報生成手段で生成した前記組み合わせ印字情報を用いた前記印字付きラベルの印刷開始を指示するための操作手段と、前記操作手段により前記印刷開始が指示された場合、時間又は無線タグ枚数に関する所定範囲内において前記無線タグ通信装置の前記情報取得手段で取得したすべての前記印字関連情報の組み合わせに対応した組み合わせ印字情報を用いて前記印字を行い、前記印字付きラベルを作成するように、前記搬送手段、前記印字情報生成手段、及び前記印字手段を連携して制御する第１制御手段とを有することを特徴とする。
【００１５】
これにより、複数の無線タグから複数の印字関連情報の取得が終わった後、操作者の確実なラベル作成の意志（言い換えれば、それら複数の無線タグを用いた印字合成への了解）を確認した上で、印字付きラベルの作成を行うことができる。また複数の印字関連情報を組み合わせた組み合わせ印字情報が表示手段で表示され場合には、表示後の操作者による操作手段の指示を待つことで、さらに確実に操作者の意志や了解を反映することができる。そして、これらの結果、自動で印字付きラベルの作成を開始する場合に比べ、作成される印字ラベルの信頼性を高めることができる。
【００１６】
第５発明は、上記第４発明において、前記第１制御手段は、前記操作手段により前記印刷開始が指示された場合、前記無線タグ通信装置の動作開始後当該印刷開始指示があるまでに前記無線タグ通信装置の前記情報取得手段で取得したすべての前記印字関連情報の組み合わせに対応した組み合わせ印字情報を用いて前記印字を行い、前記印字付きラベルを作成するように、前記搬送手段、前記印字情報生成手段、及び前記印字手段を連携して制御することを特徴とする。
【００１７】
これにより、操作者は、組み合わせたい印字内容にそれぞれ対応した無線タグが何枚あったとしても、それらの無線タグに対し順次読み取りを行わせた後、操作手段を操作して印刷開始を指示するだけで、それまで読み取ったすべての印字関連情報を組み合わせて印字付きラベルを作成することができる。
【００１８】
第６発明は、上記第４又は第５発明において、前記複数の無線タグは、前記印字手段による印字の際に操作者が固定的に利用可能な固定印字領域に関わる固定印字領域情報を前記印字関連情報として前記ＩＣ回路部に記憶し、前記固定印字領域、又は、前記固定印字領域に沿ったテキスト印字が前記印字領域に形成された第１無線タグと、前記固定印字領域に対し配置されるテキスト情報を前記印字関連情報として前記ＩＣ回路部に記憶し、前記固定印字領域に対し配置されるテキスト印字が前記印字領域に形成された第２無線タグとを含み、前記第１制御手段は、前記操作手段により前記印刷開始が指示される前に前記情報取得手段で前記第１無線タグ及び前記第２無線タグの前記ＩＣ回路部からそれぞれ取得した前記固定印字領域情報及び前記テキスト情報に基づき、前記固定印字領域情報に対応した固定印字領域の中に前記テキスト情報に対応したテキストが配置された態様の印字を実行し、前記印字付きラベルを作成するように、前記搬送手段、前記印字情報生成手段、及び前記印字手段を連携して制御することを特徴とする。
【００１９】
本願第６発明においては、操作者が第１無線タグ及び第２無線タグに対し情報読み取りを行うだけで、第１無線タグの固定印字領域情報に第２無線タグのテキスト情報を組み合わせて用いた（言い換えれば、第１無線タグの固定印字領域に第２無線タグのテキスト印字を挿入したのと同等の）、印字付きラベルを作成することができる。この結果、操作者が固定印字領域にテキストを挿入した態様の所望の印字付きラベルを作成したい場合は、その所望の態様を固定印字領域とテキストとに分割し、当該固定印字領域に対応する第１無線タグと、当該テキストに対応する第２無線タグとに対し、順次読み取りを行うことで容易に当該印字付きラベルを完成することができる。この結果、ラベル作成装置の各種ボタンや操作端末のキーやマウスを操作して固定印字領域を読み出して選択し、さらに印字テキストを入力する等が必要な場合に比べて、操作者の操作労力を大きく低減することができる。
【００２０】
第７発明は、上記第４又は第５発明において、前記複数の無線タグは、前記固定印字領域に対し配置されるテキスト情報を前記印字関連情報として前記ＩＣ回路部に記憶し、前記固定印字領域に対し配置されるテキスト印字が前記印字領域に形成された第２無線タグと、前記印字手段による印字の際に操作者が固定的に利用可能な固定印字領域に係わる固定印字領域情報、及び、前記固定印字領域に対し配置される見本テキスト情報を、前記印字関連情報として前記ＩＣ回路部に記憶し、前記固定印字領域と前記見本テキスト情報に基づく当該固定印字領域内の見本テキスト印字とが前記印字領域に形成された第３無線タグとを含み、前記第１制御手段は、前記操作手段により前記印刷開始が指示される前に前記情報取得手段で前記第３無線タグ及び前記第２無線タグの前記ＩＣ回路部からそれぞれ取得した情報に基づき、前記第３無線タグに係わる前記固定印字領域情報に対応した固定印字領域の中に、前記第２無線タグに係わる前記テキスト情報に対応したテキストが配置された態様の印字を実行し、前記印字付きラベルを作成するように、前記搬送手段、前記印字情報生成手段、及び前記印字手段を連携して制御することを特徴とする。
【００２１】
本願第７発明においては、操作者が第３無線タグ及び第２無線タグに対し情報読み取りを行うだけで、第３無線タグの固定印字領域情報に第２無線タグのテキスト情報を組み合わせて用いた（言い換えれば、第３無線タグの固定印字領域及びテキスト印字のうちテキスト印字部分を第２無線タグのテキスト印字で置き換えたのと同等の）、印字付きラベルを作成することができる。この結果、操作者が固定印字領域にテキストを挿入した態様の所望の印字付きラベルを作成したい場合は、その所望の態様を固定印字領域とテキストとに分割し、当該固定印字領域に対応する第３無線タグと、当該テキストに対応する第２無線タグとに対し、順次読み取りを行うことで容易に当該印字付きラベルを完成することができる。この結果、ラベル作成装置の各種ボタンや操作端末のキーやマウスを操作して固定印字領域を読み出して選択し、さらに印字テキストを入力する等が必要な場合に比べて、操作者の操作労力を大きく低減することができる。
【００２２】
第８発明は、上記第１乃至第３発明のいずれかにおいて、前記ラベル作成装置は、前記無線タグ通信装置の前記情報取得手段における情報取得に関し、時間範囲、無線タグ枚数範囲、無線タグの種類の少なくとも１つに関する印刷開始条件が満たされたら、前記情報取得手段で取得した前記印字関連情報のうち当該印刷開始条件に係わる組み合わせに対応した組み合わせ印字情報を用いて前記印字を行い、前記印字付きラベルを作成するように、前記搬送手段、前記印字情報生成手段、及び前記印字手段を連携して制御する第２制御手段を有することを特徴とする。
【００２３】
これにより、複数の無線タグから複数の印字関連情報の取得が終わった後、所定の印刷開始条件を満足したら、（操作者が特に操作しなくても）自動的に印字付きラベルの作成を行うことができる。この結果、操作者の手動操作に基づきラベル作成を行う場合に比べ、操作者の労力負担を低減することができる。また、操作者の操作忘れによる作成不実行のまま放置等の不都合を回避することもできる。
【００２４】
第９発明は、上記第８発明において、前記複数の無線タグは、前記印字手段による印字の際に操作者が固定的に利用可能な固定印字領域に関わる固定印字領域情報を前記印字関連情報として前記ＩＣ回路部に記憶し、前記固定印字領域、又は、前記固定印字領域に沿ったテキスト印字が前記印字領域に形成された第１無線タグと、前記固定印字領域に対し配置されるテキスト情報を前記印字関連情報として前記ＩＣ回路部に記憶し、前記固定印字領域に対し配置されるテキスト印字が前記印字領域に形成された第２無線タグとを含み、前記第２制御手段は、前記情報取得手段において、１つの前記第１無線タグの前記ＩＣ回路部から前記固定印字領域情報が取得され、１つの前記第２無線タグの前記ＩＣ回路部から前記テキスト情報が取得された場合、前記固定印字領域情報に対応した固定印字領域の中に前記テキスト情報に対応したテキストが配置された態様の印字を実行し、前記印字付きラベルを作成するように、前記搬送手段、前記印字情報生成手段、及び前記印字手段を連携して制御することを特徴とする。
【００２５】
本願第９発明においては、操作者が第１無線タグ及び第２無線タグに対し情報読み取りを行うだけで、第１無線タグの固定印字領域情報に第２無線タグのテキスト情報を組み合わせて用いた（言い換えれば、第１無線タグの固定印字領域に第２無線タグのテキスト印字を挿入したのと同等の）、印字付きラベルを作成することができる。このとき特に、１つの固定印字領域情報と１つのテキスト情報とが取得されたら自動的に印字ラベルが作成される。この結果、操作者が固定印字領域にテキストを挿入した態様の所望の印字付きラベルを作成したい場合は、その所望の態様を固定印字領域とテキストとに分割し、当該固定印字領域に対応する第１無線タグに情報読み取り行った後、当該テキストに対応する第２無線タグに情報読み取りを行う（あるいはその逆の第２無線タグ→第１無線タグの順でもよい）ことで、自動的に容易に当該印字付きラベルを完成することができる。この結果、ラベル作成装置の各種ボタンや操作端末のキーやマウスを操作して固定印字領域を読み出して選択し、さらに印字テキストを入力する等が必要な場合に比べて、操作者の操作労力を大きく低減することができる。
【００２６】
第１０発明は、上記第８発明において、前記複数の無線タグは、前記固定印字領域に対し配置されるテキスト情報を前記印字関連情報として前記ＩＣ回路部に記憶し、前記固定印字領域に対し配置されるテキスト印字が前記印字領域に形成された第２無線タグと、前記印字手段による印字の際に操作者が固定的に利用可能な固定印字領域に係わる固定印字領域情報、及び、前記固定印字領域に対し配置される見本テキスト情報を、前記印字関連情報として前記ＩＣ回路部に記憶し、前記固定印字領域と前記見本テキスト情報に基づく当該固定印字領域内の見本テキスト印字とが前記印字領域に形成された第３無線タグとを含み、前記第２制御手段は、前記情報取得手段において、１つの前記第３無線タグの前記ＩＣ回路部から前記固定印字領域情報及び前記見本テキスト情報が取得され、１つの前記第２無線タグの前記ＩＣ回路部から前記テキスト情報が取得された場合、前記第３無線タグに係わる前記固定印字領域情報に対応した固定印字領域の中に、前記第２無線タグに係わる前記テキスト情報に対応したテキストが配置された態様の印字を実行し、前記印字付きラベルを作成するように、前記搬送手段、前記印字情報生成手段、及び前記印字手段を連携して制御することを特徴とする。
【００２７】
本願第１０発明においては、操作者が第３無線タグ及び第２無線タグに対し情報読み取りを行うだけで、第３無線タグの固定印字領域情報に第２無線タグのテキスト情報を組み合わせて用いた（言い換えれば、第３無線タグの固定印字領域及びテキスト印字のうちテキスト印字部分を第２無線タグのテキスト印字で置き換えたのと同等の）、印字付きラベルを作成することができる。このとき特に、第３無線タグからの固定印字領域情報及びテキスト情報と、第２無線タグからのテキスト情報とが取得されたら自動的に印字ラベルが作成される。この結果、操作者が固定印字領域にテキストを挿入した態様の所望の印字付きラベルを作成したい場合は、その所望の態様を固定印字領域とテキストとに分割し、当該固定印字領域に対応する第３無線タグと、当該テキストに対応する第２無線タグとに対し、順次読み取りを行う（あるいはその逆の第２無線タグ→第３無線タグの順でもよい）ことで、自動的に容易に当該印字付きラベルを完成することができる。この結果、ラベル作成装置の各種ボタンや操作端末のキーやマウスを操作して固定印字領域を読み出して選択し、さらに印字テキストを入力する等が必要な場合に比べて、操作者の操作労力を大きく低減することができる。
【発明の効果】
【００２８】
本発明によれば、印字テキストや印字態様の設定における操作者の操作労力を低減することができる。
【発明を実施するための最良の形態】
【００２９】
以下、本発明の一実施の形態を図面を参照しつつ説明する。
【００３０】
図１は、本実施形態の印字ラベル作成システムの全体構成を表すシステム構成図である。
【００３１】
図１において、印字ラベル作成システムＬＳは、印字ラベルＬ（印字付きラベル）を作成するラベル作成装置３００と、アンテナ２０３（通信アンテナ）を介し複数（図示の例では２つ）の無線タグＴ１及び無線タグＴ２と無線通信を行うリーダ２００（無線タグ通信装置）とを有している。
【００３２】
ラベル作成装置３００は、搬送されるラベルテープ３０３（後述の図２参照）に対し所望の印字を行い、印字ラベルＬを作成する。また、ラベル作成装置３００は、液晶ディスプレイ等の表示部３０１（表示手段）を有しており、所定の表示（例えば、印字後の印字ラベルＬのイメージ表示等）をすることが可能となっている。
【００３３】
無線タグＴ１（第１無線タグ）及び無線タグＴ２（第２無線タグ）は、それぞれに備えられた印字領域Ｓｔに、所定の印字（図示の例では「ＡＡＡ」「ＢＢＢ」）が形成されている。
【００３４】
また、ラベル作成装置３００及びリーダ２００は、接続手段２（例えばＵＳＢケーブル等。無線でもよい）を介して情報送受信可能に接続されている。
【００３５】
図２は、上記印字ラベル作成システムＬＳの機能的構成を表す機能ブロック図である。なお、図中に示す矢印は信号の流れの一例を示すものであり、信号の流れ方向を限定するものではない。
【００３６】
図２において、無線タグＴ１及び無線タグＴ２には、それぞれ無線タグ回路素子Ｔｏが設けられている。無線タグ回路素子Ｔｏは、情報を記憶するＩＣ回路部１５０と情報の送受信を行うタグアンテナ１５１とから構成されており、ＩＣ回路部１５０にはそれぞれの上記印字領域Ｓｔに係わる印字関連情報（詳細は後述）が記憶されている。
【００３７】
リーダ２００は、上記複数の無線タグＴ１及び無線タグＴ２がそれぞれ有する無線タグ回路素子Ｔｏに対し無線通信を介し情報取得を行うための上記アンテナ２０３と、このアンテナ２０３を介して上記複数の無線タグ回路素子Ｔｏに対し情報読み取りを行い、これら複数の無線タグ回路素子ＴｏのＩＣ回路部１５０に記憶された、当該無線タグＴの上記印字関連情報等をそれぞれ取得する高周波回路２０４と、インターフェース２０５とを有している。インターフェース２０５は、リーダ２００とラベル作成装置３００との間で上記接続手段２を介し情報通信（シリアル通信等）を行うためのものであり、リーダ２００のアンテナ２０３を介して上記複数の無線タグ回路素子ＴｏのＩＣ回路部１５０より取得した情報（タグＩＤ等）は、インターフェース２０５及び接続手段２を介してラベル作成装置３００に出力される。
【００３８】
ラベル作成装置３００は、ラベルテープ３０３（被印字媒体）を巻回したラベルテープロール３０４（本来は渦巻であるが簡略化して同心円で図示している）と、このラベルテープロール３０４から繰り出されたラベルテープ３０３の図示しない被印字テープ層に所定の印字を行う印字ヘッド３０５（印字手段）と、ラベルテープ３０３を搬送するための搬送ローラ３０８（搬送手段）と、印字が終了したラベルテープ３０３を所定の長さに切断して前述の印字ラベルＬとするカッタ３０７と、上記リーダ２００と接続手段２を介し情報通信を行うためのインターフェース３０９と、所定の表示を行う表示部３０１と、以上の印字ヘッド３０５、カッタ３０７、搬送ローラ３０８、表示部３０１等の制御を行う制御回路３１１とを有している。
【００３９】
なお、上記ではリーダ２００が高周波回路２０４を有する構成としたが、これに限られず、高周波回路２０４についてはラベル作成装置３００に設け、アンテナ２０３に対応する部分のみをリーダ２００として設ける構成でもよい。また、図示しないカバーフィルム等の被印字媒体に対し印字ヘッド３０５で印字を行った後、ラベルテープ３０３に貼り合わせ、その貼り合わせたテープをカッタ３０７で所定の長さに切断し印字ラベルＬとしてもよい。
【００４０】
図３は、上記制御回路３１１の機能ブロック図である。なお、図中に示す矢印は信号の流れの一例を示すものであり、信号の流れ方向を限定するものではない。
【００４１】
図３において、制御回路３１１は、上記インターフェース部３０９より入力した上記印字関連情報を、対応する印字ヘッド３０５の印字駆動データに変換するデータ変換部３０ａと、このデータ変換部３０ａでの変換により生成された上記印字駆動データを、所定の記憶領域に展開して記憶する印字バッファ部３０ｂと、制御信号生成部３０ｄとを有している。
【００４２】
印字バッファ部３０ｂは、バッファ上に展開した上記印字駆動データを一時的に保管（記憶）する。そして、データ変換部３０ａより新たな印字駆動データが入力すると、先の印字駆動データを展開しているバッファ上に上記新たな印字駆動データを展開して（＝先の印字駆動データと新たな印字駆動データとを合成した合成印字データとして）、記憶する。本実施形態では、この手順を、後述する印刷開始条件が満たされるまで繰り返すことで、複数の印字駆動データの組み合わせに対応した上記合成印字データ（組み合わせ印字情報）を生成することができる（詳細は後述）。
【００４３】
制御信号生成部３０ｄは、上記印字バッファ部３０ｂの上記合成印字データを読み取り、印字ヘッド３０５の制御信号を生成する。そして生成した制御信号を、印字ヘッド３０５へ出力する。これにより、印字ヘッド３０５が印字に対応するように通電され、対応する印字がラベルテープ３０３に印刷されるようになっている。
【００４４】
図４は、上記リーダ２００の高周波回路２０４の詳細構成を表す機能ブロック図である。なお、図中に示す矢印は信号の流れの一例を示すものであり、信号の流れ方向を限定するものではない。また、この図４では、リーダ２００の高周波回路２０４とラベル作成装置３００の制御回路３１１との間のインターフェース２０５，３０９及び接続手段２については図示省略している。
【００４５】
この図４において、高周波回路２０４は、上記アンテナ２０３を介し複数の無線タグＴにそれぞれ設けられた複数の無線タグ回路素子ＴｏのＩＣ回路部１５０の情報へアクセスするものであり、またラベル作成装置３００の制御回路３１１は、上記無線タグ回路素子ＴｏのＩＣ回路部１５０から読み出された信号を処理して情報を読み出すと共に、無線タグ回路素子ＴｏのＩＣ回路部１５０へアクセスするための各種コマンドを生成するものである。
【００４６】
高周波回路２０４は、アンテナ２０３を介し無線タグ回路素子Ｔｏに対して信号を送信する送信部１４２と、アンテナ２０３により受信された無線タグ回路素子Ｔｏからの応答波を入力する受信部１４３と、送受分離器１４４とから構成される。
【００４７】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、ラベル作成装置３００の制御回路３１１の制御により水晶振動子１４５Ａの出力を分周／逓倍して所定周波数の搬送波を発生させるＰＬＬ（Ｐｈａｓｅ  Ｌｏｃｋｅｄ  Ｌｏｏｐ）１４５Ｂ及びＶＣＯ（Ｖｏｌｔａｇｅ  Ｃｏｎｔｒｏｌｌｅｄ  Ｏｓｃｉｌｌａｔｏｒ）１４５Ｃと、上記制御回路３１１から供給される信号に基づいて上記発生させられた搬送波を変調（この例では制御回路３１１からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例では制御回路３１１からの「ＴＸ＿ＰＷＲ」信号によって増幅率を決定される増幅）して所望の質問波を生成するゲイン制御送信アンプ１４７とを備えている。そして、上記発生される搬送波は、例えばＵＨＦ帯（又はマイクロ波帯、あるいは短波帯でもよい）の周波数を用いており、上記ゲイン制御送信アンプ１４７の出力は、送受分離器１４４を介しアンテナ２０３に伝達されて無線タグ回路素子ＴｏのＩＣ回路部１５０に供給される。なお、質問波は上記のように変調した信号（変調波）に限られず、単なる搬送波のみの場合もある。
【００４８】
受信部１４３は、アンテナ２０３で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記アンテナ２０３で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路３１１に入力されて処理される。
【００４９】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路１７８にも入力され、それらの信号の強度を示す信号「ＲＳＳＩ」が制御回路３１１に入力される。これにより、ラベル作成装置３００では、無線タグ回路素子Ｔｏとの通信時における当該無線タグ回路素子Ｔｏからの信号の受信強度を検出することが可能となっている。
【００５０】
図５は、上記無線タグＴ１，Ｔ２に備えられる無線タグ回路素子Ｔｏの機能的構成の一例を表す機能ブロック図である。なお、図中に示す矢印は信号の流れの一例を示すものであり、信号の流れ方向を限定するものではない。
【００５１】
この図５において、無線タグ回路素子Ｔｏは、上述したようにリーダ２００のアンテナ２０３と非接触で信号の送受信を行う上記タグアンテナ１５１と、このタグアンテナ１５１に接続された上記ＩＣ回路部１５０とを有している。
【００５２】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００５３】
変復調部１５６は、タグアンテナ１５１により受信された上記リーダ２００のアンテナ２０３からの質問波の復調を行い、また、上記制御部１５７からの返信信号を変調し、タグアンテナ１５１より応答波（タグＩＤを含む信号）として送信する。
【００５４】
クロック抽出部１５４は受信した信号からクロック成分を抽出し、当該クロック成分の周波数に対応したクロックを制御部１５７に供給する。
【００５５】
メモリ部１５５は、当該無線タグＴの上記印字関連情報を記憶している。
【００５６】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００５７】
上記構成の印字ラベル作成システムＬＳにおいて、ラベル作成装置３００は、印字ラベルＬを作成する際に、この例では、無線タグＴ１の無線タグ回路素子Ｔｏに記憶された印字関連情報と、無線タグＴ２の無線タグ回路素子Ｔｏに記憶された印字関連情報とを、組み合わせた内容に対応した上記合成印字データを生成する。そしてこの合成印字データを用いて印字を行い、印字ラベルＬを作成する。このような合成印字データを用いた印字ラベルＬの作成手法を、以下詳細に説明する。
【００５８】
図６は、上記合成印字データを生成するために組み合わせて使用される２つの上記無線タグＴ１，Ｔ２と、合成印字データにより作成される印字ラベルＬの外観の一例を表す図である。なお、この例では名刺として使用可能な印字ラベルＬを作成する場合を例にとって説明する。
【００５９】
図６において、無線タグＴ１，Ｔ２は、カード形状（あるいは、印字ラベルＬと同様のラベル形状であってもよい。後述する各変形例の無線タグＴ３，Ｔ４，Ｔ５，Ｔ６についても同様）に形成されており、その内部に前述の無線タグ回路素子Ｔｏを備えている。
【００６０】
この例では、無線タグＴ１は、上記無線タグ回路素子Ｔｏのメモリ１５５に、上記名刺のうち固定的に利用可能な固定印字領域としてのテンプレートに関わるテンプレート情報（固定印字領域情報）を記憶している。なお、このテンプレート情報が無線タグＴ１における印字関連情報を構成しており、無線タグＴ１を以下適宜、「テンプレートタグＴ１」という。また、無線タグＴ２は、上記無線タグ回路素子Ｔｏのメモリ１５５に、上記テンプレートの空白部であるテキスト挿入欄Ｓｐ１，Ｓｐ２，Ｓｐ３に配置される印字のテキスト情報を記憶している。なお、このテキスト情報が無線タグＴ２における印字関連情報を構成しており、無線タグＴ２を以下適宜、「データタグＴ２」という。
【００６１】
そして、上記テンプレートタグＴ１及び上記データタグＴ２の印字領域Ｓｔには、当該ＩＣ回路部１５０の記憶情報に対応した印字がなされており、組み合わせ（合成）後の印字ラベルＬに対し実現される最終的な印字がイメージしやすいようになっている。
【００６２】
すなわち、テンプレート情報を記憶したテンプレートタグＴ１は、当該テンプレート情報に対応し、テキスト挿入欄Ｓｐ１，Ｓｐ２，Ｓｐ３と、フレームＦｒと、黒塗りダイヤ形状の２つのマークＭａ１とが、印字領域Ｓｔに印字されている。テキスト挿入欄Ｓｐ１は、この例では名刺における会社名に対応する欄である。最終的に生成される印字ラベルＬでは、データタグＴ２に記憶されたテキスト情報のうち、会社名情報が当該テキスト挿入欄Ｓｐ１に挿入配置される形で印字される。また、テキスト挿入欄Ｓｐ２は、この例では名刺における部署名に対応する欄である。印字ラベルＬでは、データタグＴ２に記憶されたテキスト情報のうち、部署名情報が当該テキスト挿入欄Ｓｐ２に挿入配置される形で印字される。また、テキスト挿入欄Ｓｐ３は、この例では名刺における氏名に対応する欄である。印字ラベルＬでは、データタグＴ２に記憶されたテキスト情報のうち、氏名情報が当該テキスト挿入欄Ｓｐ３に挿入配置される形で印字される。
【００６３】
また、テキスト情報を記憶したデータタグＴ２は、当該テキスト情報に対応し、上記テキスト情報の一部に対応した印字が印字領域Ｓｔに形成されている。この例では、上記テンプレートのテキスト挿入欄Ｓｐ３の氏名情報に対応した「河岸  太郎」と、適宜の識別子（例えば社員番号）としての「○○−××」とが、テキスト印字ＴｅＡとして形成されている。
【００６４】
そして、リーダ２００が上記テンプレートタグＴ１及びデータタグＴ２に情報取得を行うことにより、テンプレートタグＴ１のテンプレート情報に対応するテンプレートの中に、データタグＴ２のテキスト情報に対応するテキストが配置された態様の印字がされた印字ラベルＬが、ラベル作成装置３００により作成される。
【００６５】
すなわち、印字ラベルＬは、上記データタグＴ２のテキスト情報に基づくテキストＴＥ１（会社名「ブラザー工業」）、テキストＴＥ２（部署名「開発部」）、及びテキストＴＥ３（氏名「河岸  太郎」）が、上記テンプレートタグＴ１のテキスト挿入欄Ｓｐ１、テキスト挿入欄Ｓｐ２、及びテキスト挿入欄Ｓｐ３に相当する位置に、それぞれ印字されている。また、フレームＦｒ及びマークＭａ１も上記テンプレートタグＴ１とほぼ同等の位置に印字されている。
【００６６】
なお、上記のような複数の無線タグＴ１，Ｔ２の読み取り後の合成印字データの生成に際しては、所定の印刷開始条件を満たしたとき、それまでに読み取った情報を組み合わせて上記合成印字データを生成するようにすればよい。この例では、ラベル作成装置３００は、操作者がテンプレートタグＴ１をリーダ２００に近づけて情報を読み取らせた後、データタグＴ２をリーダ２００に近づけて情報を読み取らせたとき、すなわち、種類が異なる複数の無線タグＴから情報が取得された場合に、上記印刷開始条件を満たすとすればよい。このとき、上記生成した合成印字データに基づく表示を表示部３０１に表示するようにしてもよい。
【００６７】
また、上記印刷開始条件としては、リーダ２００における情報取得に関し、上記のように無線タグＴの種類数に応じた条件設定（異なる２種類の無線タグＴを読み取ったらそれらの記憶情報を合成して印刷開始）のに限られない。すなわち、無線タグＴからの情報取得の時間範囲（例えば１分以内に読み取った無線タグの記憶情報を合成して印刷開始）、情報を取得した無線タグＴの枚数範囲（例えば３枚の無線タグを読み取ったらそれら無線タグの記憶情報を合成して印刷開始）などに応じて設定することも可能である。また、それら時間範囲、枚数範囲、種類数の組み合わせに応じて適宜に設定することも可能である。
【００６８】
図７（ａ）は、上記テンプレートタグＴ１に備えられる無線タグ回路素子ＴｏのＩＣ回路部１５０のメモリ部１５５の記憶内容の一例を概念的に表す図である。
【００６９】
図７（ａ）において、メモリ部１５５には、タグ識別情報としてのタグＩＤと、ラベル作成装置３００に対しラベルテープ３０３に所望の印字を行って印字ラベルＬを作成するように指示するためのコマンドと、上記テンプレート情報とが記憶されている。上記テンプレート情報には、図６を用いて前述したような、テキスト挿入欄Ｓｐ１〜Ｓｐ３、フレームＦｒ、マークＭａ１，Ｍａ２等の位置、大きさ、形態等に関する情報が含まれている。
【００７０】
また、上記テキスト挿入欄Ｓｐ１〜Ｓｐ３には、各テキスト挿入欄の中に配置されるデータタグＴ２のテキスト情報の項目（会社名、部署名等）が関連付けられている。例えば、図６に示した例では、テキスト挿入欄Ｓｐ１は会社名、テキスト挿入欄Ｓｐ２は部署名、テキスト挿入欄Ｓｐ３は氏名が関連付けられている。
【００７１】
図７（ｂ）は、上記データタグＴ２に備えられる無線タグ回路素子ＴｏのＩＣ回路部１５０のメモリ部１５５の記憶内容の一例を概念的に表す図である。
【００７２】
図７（ｂ）において、メモリ部１５５には、上記図７（ａ）と同様のタグＩＤと及びコマンドと、上記テキスト情報とが記憶されている。テキスト情報には、上記図６を用いて説明した、テキスト挿入欄Ｓｐ１，Ｓｐ２，Ｓｐ３にそれぞれ対応した、氏名（図６の「河岸  太郎」）、部署名（図６の「開発部」）、会社名（図６の「ブラザー工業」）のほか、例えば内線番号、グループ名、外線電話番号、本人画像データ等の各種情報を含んでもよい。
【００７３】
図８は、組み合わせて使用されるテンプレートタグＴ１及びデータタグＴ２と、合成印字データにより作成される印字ラベルＬの他の例を表す図である。図６と同様の部分には同符号を付し、説明を省略する。
【００７４】
図８に示す例では、テンプレートタグＴ１は、テキスト挿入欄Ｓｐ４，Ｓｐ５，Ｓｐ６と、黒塗り十字形状の４つのマークＭａ２とが、印字領域Ｓｔに印字されている。テキスト挿入欄Ｓｐ４，Ｓｐ５，Ｓｐ６は、この例では上記名刺における部署名、氏名、内線番号にそれぞれ対応する欄である。なお、データタグＴ２は、上記図６に示したデータタグＴ２と同様である。
【００７５】
上記の結果、テンプレートタグＴ１のテンプレート情報に対応するテンプレートの中に、データタグＴ２のテキスト情報に対応するテキストが配置された印字ラベルＬは、テキストＴＥ４（部署名「開発部」）、テキストＴＥ５（氏名「河岸  太郎」）、テキストＴＥ６（内線番号「内線  ４２３２」）が対応するテキスト挿入欄Ｓｐ４，Ｓｐ５，Ｓｐ６に相当する位置に印字されている。
【００７６】
図９は、上記合成印字データの作成手順の一例を、前述の印字バッファ部３０ｂのバッファ上に展開した印字駆動データを用いて概念的に説明する図である。
【００７７】
図９において、前述したように、印字バッファ部３０ｂは、上記印字関連情報を変換することにより生成された上記印字駆動データをバッファ上に展開し記憶する。そして、データ変換部３０ａより新たな印字駆動データが入力すると、先の印字駆動データと新たな印字駆動データとを合成し、上記合成印字データを生成する。
【００７８】
例えば、まずリーダ２００が、テンプレートタグＴ１からフレーム、マーク、及びテキスト挿入欄を含むテンプレート情報を取得すると、上記データ変換部３０ａは上記フレーム及びマークを対応する印字駆動データに変換し、印字バッファ部３０ｂに出力する。これにより、印字バッファ部３０ｂは、この入力した上記フレーム、マークに対応する印字駆動データをバッファ上に展開し（図９中上段）、この展開した印字駆動データを一時的に記憶する。なお、前述したように、テキスト挿入欄はデータタグＴ２のテキスト情報を配置する位置情報を示すものであるので、上記印字駆動データには変換されず、対応するデータタグＴ２のテキスト情報を配置する位置情報が記憶される。
【００７９】
次に、リーダ２００が、例えば「Ａ」の一文字をテキスト情報として含むデータタグＴ２からテキスト情報を取得すると、上記データ変換部３０ａはこのテキスト情報を対応する印字駆動データに変換し、印字バッファ部３０ｂに出力する。これにより、印字バッファ部３０ｂは、先のテンプレート（フレーム、マーク）に対応する印字駆動データが展開されているバッファ上の対応するテキスト挿入欄の位置に、上記テキスト情報としての「Ａ」に対応する印字駆動データ（バッファ上に展開した「Ａ」に対応する印字駆動データを図９中中段に示す）を展開する。すなわち、テンプレートに関する印字駆動データ（図９中上段）と、テキストに関する印字駆動データ（図９中中段）とを合成し、テンプレート情報及びテキスト情報の組み合わせに対応した合成印字データ（図９中下段）を生成する。
【００８０】
図１０は、上記のようにしてテンプレート情報及びテキスト情報の組み合わせに対応した合成印字データを用いて作成された印字ラベルＬの外観の一例を表す上面図であり、上記図６の下段と実質的に同等の図である。図１１は、図１０中ＸＩ−ＸＩ′断面による横断面図を９０°回転させて示す図である。
【００８１】
これら図１０及び図１１において、印字ラベルＬは、複数層（この例では３層）の積層構造を備えている。すなわち、表面（図１１中上側）よりその反対側（図１１中下側）に向かって、例えばＰＥＴ（ポリエチレンテレフタラート）等から構成された基材層１０１ｈａと、適宜の粘着材から構成され上記基材層１０１ｈａを貼り付け対象（例えば社員ＩＤカード等）に貼り付けるための粘着剤層１０１ｈｂと、剥離紙１０１ｈｃとの順序で積層されている。
【００８２】
基材層１０１ｈａの表面上に位置する印字領域Ｓｌには、この例では、テンプレートの一部を構成するフレームＦｒ、マークＭａ１が印字され、図６と同様のテキストＴＥ１，ＴＥ２，ＴＥ３が印字されている。また、剥離紙１０１ｈｃは、最終的に完成した印字ラベルＬが所定の物品等に貼り付けられる際に、これを剥がすことで粘着剤層１０１ｈｂにより上記貼り付け対象に接着できるようにしたものである。
【００８３】
図１２は、ラベル作成装置３００の制御回路３１１の制御に基づき、リーダ２００の高周波回路２０４、アンテナ２０３、及びインターフェース２０５で実行される動作内容を表す動作フローである。なお、制御回路３１１の制御ではなく、リーダ２００内に独自にコントローラや制御回路を備え、それらの制御によって下記の各動作を行うようにしてもよい。
【００８４】
まず、ステップＳ３１０において、高周波回路２０４が、無線タグＴの無線タグ回路素子ＴｏのＩＣ回路部１５０に記憶された情報を読み取るためのタグ読み取り信号を生成して、アンテナ２０３を介し通信範囲内に存在する無線タグ回路素子Ｔｏに送信し、返信を促す。
【００８５】
その後、ステップＳ３２０で、上記タグ読み取り信号に対応し無線タグＴに設けられた無線タグ回路素子Ｔｏから送信（返信）されたリプライ信号を、アンテナ２０３を介し受信する。
【００８６】
そして、ステップＳ３３０において、上記受信したリプライ信号より、無線タグ回路素子ＴｏのＩＣ回路部１５０のメモリ部１５５に記憶されていた当該無線タグＴの印字領域Ｓｔの印字内容に関連する印字関連情報を、タグＩＤやコマンドとともに抽出して取得する（情報取得手段としての機能）。なお、この抽出及び情報取得はラベル作成装置３００の制御回路３１１側で行う（すなわちリーダ２００からラベル作成装置３００側へは受信した情報をすべて転送する）ようにしてもよい。
【００８７】
その後、ステップＳ３３１で、高周波回路２０４が、上記取得したタグＩＤ、コマンド、及び印字関連情報を、インターフェース２０５を介してラベル作成装置３００へ転送する。そして、このフローを終了する。なお、このフローは、例えばリーダ２００への電源がＯＮの間、あるいは所定の終了操作がされるまでの間は、繰り返し継続して実行される。
【００８８】
図１３は、上記図１２のフローに対応して、ラベル作成装置３００の制御回路３１１によって実行される制御内容を表すフローチャートである。
【００８９】
まず、ステップＳ３５０で、上記図１２のステップＳ３３１においてリーダ２００から転送された、テンプレートタグＴ１に対応するタグＩＤ、コマンド、及びテンプレート情報を含んだデータが、接続手段２を介して入力されたか否かを判定する。リーダ２００から上記データが入力されていなければ判定が満たされずループして待機し、リーダ２００から上記データが入力された場合、判定が満たされてステップＳ３５１に移る。
【００９０】
ステップＳ３５１では、データ変換部３０ａ（図３参照）の機能により、上記ステップＳ３５０で入力したデータに含まれるテンプレート情報に対し、データ変換を行い、ラベルテープ３０３に対する印字内容を表すテンプレートに対応する印字駆動データを生成する。そして、上記印字バッファ部３０ｂの機能により、上記データ変換部３０ａで生成したテンプレートに対応する印字駆動データを、バッファ上に展開して記憶する（図９上段参照。このとき、テンプレート情報にテキスト挿入欄が含まれる場合は、当該テキスト挿入欄の位置情報を併せて記憶する。以下同様）。
【００９１】
その後、ステップＳ３５２で、上記図１２のステップＳ３３１においてリーダ２００から転送された、データタグＴ２に対応するタグＩＤ、コマンド、及びテキスト情報を含んだデータが、接続手段２を介して入力されたか否かを判定する。リーダ２００から上記データが入力されていなければ判定が満たされずループして待機し、リーダ２００から上記データが入力された場合、判定が満たされて（言い換えれば、上記印刷開始条件が満たされて）ステップＳ３６０に移る。すなわち、この例では、前述の印刷開始条件として、テンプレートタグＴ１からのテンプレート情報と、データタグＴ２からのテキスト情報とが取得されたことを契機に、合成印字データを用いて印字ラベルＬの作成が開始されるように予め設定されている。
【００９２】
ステップＳ３６０では、データ変換部３０ａの機能により、上記ステップＳ３５２で入力したデータに含まれるテキスト情報に対し、データ変換を行い、ラベルテープ３０３に対する印字内容を表すテキストに対応する印字駆動データを生成する。そして、印字バッファ部３０ｂの機能により、上記ステップＳ３５１で生成したテンプレートに対応する印字駆動データが展開されているバッファ上（テキスト挿入欄の位置情報が記憶されている場合は、バッファ上の対応するテキスト挿入欄の位置。以下同様）に、このステップＳ３６０で生成したテキストに対応する印字駆動データを展開する。すなわち、テンプレートに対応する印字駆動データと、テキストに対応する印字駆動データとを合成する。そして、複数の印字関連情報（この例では、テンプレート情報及びテキスト情報）の組み合わせに対応した合成印字データを生成する（印字情報生成手段としての機能。図９下段参照）。
【００９３】
そして、ステップＳ３７０では、表示部３０１に制御信号を出力して、上記生成した合成印字データに基づき、合成印字データに基づく表示（この例では、印字ヘッド３０５により印字された後の印字ラベルＬのイメージ表示）を表示部３０１に表示させる。
【００９４】
その後、ステップＳ４００では、上記入力したコマンドに基づきラベル作成処理を実行し（詳細は後述の図１４参照）、ラベルテープ３０３に対し上記合成印字データを用いて印字（この例では、上記テンプレート情報に対応したテンプレートの中に上記テキスト情報に対応したテキストが配置された態様の印字）を行い、印字ラベルＬを作成する（図６下段や図８下段参照）。そして、このフローを終了する。
【００９５】
図１４は、上記ステップＳ４００の詳細手順を表すフローチャートである。
【００９６】
図１４において、まずステップＳ４１０において、搬送ローラ３０８を駆動する搬送用モータ（図示せず）に制御信号を出力し、その駆動力によってラベルテープロール３０４からラベルテープ３０３を繰り出す。
【００９７】
その後、ステップＳ４２０では、ラベルテープ３０３が所定量だけ搬送されたか否かを判定する。この所定量とは、例えば印字ヘッド３０５が、ラベルテープ３０３の上記印字領域Ｓｌの先端にほぼ対向する位置に到達するだけの搬送距離である。この搬送距離判定は、例えばラベルテープ３０３に設けたマーキングを公知のテープセンサ（図示せず）で検出することにより行えば足りる。判定が満たされると、ステップＳ４３０に移る。
【００９８】
ステップＳ４３０では、制御信号生成部３０ｄ（図３参照）の機能により、印字ヘッド３０５に制御信号を出力し、印字ヘッド３０５によるラベルテープ３０３のうち上記印字領域Ｓｌへ、上記生成した合成印字データの印字を開始する。
【００９９】
ステップＳ４４０では、ラベルテープ３０３に対する上記合成印字データの印字がすべて完了しているかどうかを確認した後、ステップＳ４５０へ移る。
【０１００】
ステップＳ４５０では、ラベルテープ３０３がさらに所定量（例えば、上記印字領域Ｓｌのすべてがカッタ３０７を所定の長さ）分越えるだけの搬送距離）だけ搬送されたかどうかを判定する。このときの搬送距離判定も例えば上記ステップＳ４２０と同様にすれば足りる。判定が満たされると、ステップＳ４６０に移る。
【０１０１】
ステップＳ４６０では、上記搬送用モータに制御信号を出力して搬送ローラ３０８の駆動を停止し、ラベルテープロール３０４からのラベルテープ３０３の繰り出し及び搬送を停止する。
【０１０２】
ステップＳ４７０では、ソレノイド駆動回路（図示せず）に制御信号を出力してカッタ用ソレノイド（図示せず）を駆動し、カッタ３０７によってラベルテープ３０３の切断を行う。前述したように、この時点で印字領域Ｓｌを含むラベルテープ３０３のすべてがカッタ３０７を十分に越えており、このカッタ３０７の切断によって、上記合成印字データの印字が行われた印字ラベルＬが生成される。
【０１０３】
ステップＳ４８０では、別途設けた排出用ローラ（図示せず）を駆動する排出用モータ（図示せず）に制御信号を出力し、上記ステップＳ４７０でラベル状に生成された印字ラベルＬをラベル作成装置３００の装置外へと排出する。なお、排出用モータがなくても手動操作で印字ラベルＬを装置外へ排出できる場合には、このステップＳ４８０を省略してもよい。以上により、このフローを終了する。
【０１０４】
以上において、上記図１３及び図１４のフローに示す全手順が、特許請求の範囲各項記載の第２制御手段として機能する。
【０１０５】
なお、上記フローチャートは本発明を上記フローに示す手順に限定するものではなく、発明の趣旨及び技術的思想を逸脱しない範囲内で手順の追加・削除又は順番の変更等をしてもよい。例えば、上記図１３では、上記図１２において、操作者がまずテンプレートタグＴ１に情報読み取りを行った後、データタグＴ２に情報読み取りを行う場合を例にとって説明したが、その逆の順序で情報読み取りを行う場合であってもよい。すなわち、まずデータタグＴ２に対し情報読み取りを行った後、テンプレートタグＴ１に対し情報読み取りを行うようにしてもよい。
【０１０６】
図１５は、データタグＴ２に情報読み取りを行った後、テンプレートタグＴ１に情報読み取りを行う場合における制御内容を表すフローチャートである。なお、この図１５は、上記図１３に対応する図であり、図１３と同等の部分には同一の符号を付し、適宜説明を省略又は簡略化する。
【０１０７】
まず、ステップＳ３５４で、上記図１３のステップＳ３５２と同様、リーダ２００から転送された、データタグＴ２に対応するタグＩＤ、コマンド、及びテキスト情報等が入力されたか否かを判定する。上記データが入力されていなければ判定が満たされず、入力された場合は判定が満たされてステップＳ３５５に移る。
【０１０８】
ステップＳ３５５では、データ変換部３０ａの機能により、上記ステップＳ３５４で入力したデータに含まれるテキスト情報に対し、データ変換を行い、ラベルテープ３０３に対する印字内容を表すテキストに対応する印字駆動データを生成して記憶する。
【０１０９】
その後、ステップＳ３５６で、上記図１３のステップＳ３５０と同様、リーダ２００から転送された、テンプレートタグＴ１に対応するタグＩＤ、コマンド、及びテンプレート情報等が入力されたか否かを判定する。上記データが入力されていなければ判定が満たされず、入力された場合は判定が満たされて（言い換えれば、上記印刷開始条件が満たされて）、図１３のステップＳ３６０に対応して新たに設けたステップＳ３６０′に移る。
【０１１０】
ステップＳ３６０′では、データ変換部３０ａの機能により、上記ステップＳ３５６で入力したデータに含まれるテンプレート情報に対し、データ変換を行い、ラベルテープ３０３に対する印字内容を表すテンプレートに対応する印字駆動データを生成する。そして、上記ステップＳ３６０と同様、テンプレートに関する印字駆動データと、テキストに関する印字駆動データとを合成して合成印字データを生成する（印字情報生成手段としての機能）。
【０１１１】
その後のステップＳ３７０以降の手順は、前述の図１３と同様であるので説明を省略する。
【０１１２】
さらには、上記にも限られず、テンプレートタグＴ１及びデータタグＴ２の情報読み取りを行う順序を特に区別せずに情報読み取りを行うようにしてもよい。図１６は、テンプレートタグＴ１及びデータタグＴ２の情報読み取りを行う順序を特に区別せずに情報読み取りを行う場合における制御内容を表すフローチャートである。なお、この図１６は、前述の図１３及び図１５に対応する図であり、図１３と同等の部分には同一の符号を付し、適宜説明を省略又は簡略化する。
【０１１３】
まず、ステップＳ３３５で、上記図１２のステップＳ３３１においてリーダ２００から転送された、テンプレートタグＴ１又はデータタグＴ２のタグＩＤ、コマンド、及び印字関連情報（テンプレート情報又はテキスト情報）を含んだデータが、接続手段２を介して入力されたか否かを判定する。リーダ２００から上記データが入力されていなければ判定が満たされずループして待機し、リーダ２００から上記データが入力された場合、判定が満たされてステップＳ３４１に移る。
【０１１４】
ステップＳ３４１では、上記ステップＳ３３５で入力したデータに、テンプレート情報が含まれていたか（言い換えれば、前述の図１２のステップＳ３３０においてリーダ２００がテンプレートタグＴ１からテンプレート情報を取得していたか）否かを判定する。入力したデータにテンプレート情報が含まれていた場合（テンプレートタグＴ１からテンプレート情報を取得していた場合）には、判定が満たされてステップＳ３５１に移る。
【０１１５】
その後のステップＳ３５１、ステップＳ３５２、及びステップＳ３６０は、前述の図１３と同様であり、テンプレート情報をテンプレートに対応する印字駆動データに変換し、テキスト情報をテキストに対応する印字駆動データに変換し、これらにより合成印字データを生成したら、ステップＳ３７０に移る。
【０１１６】
一方、上記ステップＳ３４１において、入力したデータにテンプレート情報が含まれていなかった場合（データタグＴ１からテンプレート情報を取得していなかった場合）には、ステップＳ３４１の判定が満たされずステップＳ３５５に移る。
【０１１７】
その後のステップＳ３５５、ステップＳ３５６、及びステップＳ３６０′は、上記図１５と同様であり、テキスト情報をテキストに対応する印字駆動データに変換し、テンプレート情報をテンプレートに対応する印字駆動データに変換し、これらにより合成印字データを生成したら、ステップＳ３７０に移る。
【０１１８】
その後のステップＳ３７０以降の手順は、前述の図１３と同様であるので説明を省略する。
【０１１９】
以上説明したように、本実施形態の印字ラベル作成システムＬＳにおいては、テンプレートタグＴ１及びデータタグＴ２から読み取られた、印字領域Ｓｔの印字内容に関連したテンプレート情報及びテキスト情報の組み合わせに対応した合成印字データが生成され（ステップＳ３６０及びステップＳ３６０′）、当該合成印字データが印字された印字ラベルＬが作成される（ステップＳ４００）。このように、複数の無線タグＴそれぞれに記憶された情報の読み取り結果を組み合わせる（合成する）ことで、作成される印字ラベルＬにおける印字内容を容易に設定することができる。したがって、操作者が複数の無線タグＴ１，Ｔ２に対しリーダ２００を用いて情報読み取りを行うだけで、各無線タグＴの印字関連情報を組み合わせた情報を用いた印字ラベルＬを作成できる。この結果、一般のラベル作成装置のように各種ボタンを操作したり、あるいはラベル作成装置に操作端末を接続してキーやマウスを操作して、印字テキストの入力や印字態様の設定を行う（テンプレートを読み出して選択し、さらに印字テキストを入力する等）場合に比べ、操作者の操作労力を大きく低減することができる。
【０１２０】
また、本実施形態では特に、ラベル作成装置３００の表示部３０１において、上記合成印字データに基づく表示を行う（ステップＳ３７０）。これにより、複数の無線タグＴの印字関連情報を組み合わせることで最終的に実現される印字ラベルＬへの印字態様を、操作者が視覚的に確認することができる。このとき特に、上記合成印字データに基づき、印字された後の印字ラベルＬのイメージ表示を行うので、操作者は、最終的に実現される印字ラベルＬへの印字イメージを、より実際に近い形で確実に確認することができる。
【０１２１】
また、本実施形態では特に、時間範囲、無線タグＴの枚数範囲、無線タグＴの種類に関する印刷開始条件（上記の例では無線タグＴの種類に関する印刷開始条件）が満たされたら（上記の例ではテンプレートタグＴ１のテンプレート情報とデータタグＴ２のテキスト情報とを取得したら）、操作者が特に操作しなくても自動的に印字ラベルＬの作成を行う。これにより、操作者の手動操作に基づきラベル作成を行う場合に比べ、操作者の労力負担を低減することができる。また、操作者の操作忘れによるラベル作成不実行のまま放置等の不都合を回避することもできる。
【０１２２】
なお、本発明は、上記実施形態に限られるものではなく、その趣旨及び技術的思想を逸脱しない範囲内で種々の変形が可能である。以下、そのような変形例を順を追って説明する。
【０１２３】
（１）見本タグから情報取得を行う場合
上記実施形態においては、テンプレートタグＴ１のテンプレート及びデータタグＴ２のテキストを組み合わせることで、合成印字データを生成したが、これに限られない。すなわち、ＩＣ回路部１５０に、印字関連情報としてのテンプレート情報及び見本テキスト情報（詳細は後述）を記憶した、第３無線タグとしての無線タグＴ３（以下適宜、「見本タグＴ３」という）を用い、上記見本テキストを、データタグＴ２のテキストに置き換えることで、上記合成印字データを生成するようにしてもよい。
【０１２４】
図１７は、本変形例において組み合わせて使用される上記見本タグＴ３及びデータタグＴ２と、合成印字データにより作成される印字ラベルＬの外観の一例を表す図であり、前述の図６及び図８に対応する図である。図６及び図８と同等の部分には同符号を付し適宜説明を省略する。
【０１２５】
図１７において、見本タグＴ３は、前述したように、上記無線タグ回路素子Ｔｏのメモリ１５５に、上記と同様のテンプレート情報と、そのテンプレートに対し配置される（すなわちテンプレートの空白部である前述のテキスト挿入欄Ｓｐ１，Ｓｐ２，Ｓｐ３に配置される印字の見本に相当する）見本テキスト情報とを記憶している。また、見本タグＴ３の印字領域Ｓｔには、当該記憶情報に対応して、上記テンプレートタグＴ１と同様のテンプレートを構成するマークＭａ１及びフレームＦｒが印字（形成）され、さらに上記見本テキスト情報に対応して、見本テキスト印字ＭＴ１（会社名「ブラザー工業」），ＭＴ２（部署名「開発部」），ＭＴ３（氏名「河岸  太郎」）がが前述のテキスト挿入欄Ｓｐ１，Ｓｐ２，Ｓｐ３（図６参照）に挿入配置された形で印字されている。
【０１２６】
データタグＴ２は、メモリ１５５に記憶した上記テキスト情報に対応し、テキスト情報に対応し、上記テキスト情報の一部に対応した印字が印字領域Ｓｔに形成されている。この例では、図６と同様、上記テンプレートのテキスト挿入欄Ｓｐ３に置き換えて配置されるべき氏名情報に対応した「瑞穂  和子」と、適宜の識別子（例えば社員番号）としての「△△−□□」とが、テキスト印字ＴｅＢとして形成されている。
【０１２７】
そして、リーダ２００が上記見本タグＴ３及びデータタグＴ２より情報取得を行うことにより、見本タグＴ３に係わるテンプレート情報に対応したテンプレートの中に、データタグＴ２に係わるテキスト情報に対応したテキストが配置された（言い換えれば、見本タグＴ３に係わる見本テキスト印字をデータタグＴ２のテキスト印字と置き換えた）態様の印字がされた印字ラベルＬが、ラベル作成装置３００により作成される。
【０１２８】
この例では、印字ラベルＬは、上記データタグＴ２のテキスト情報に基づくテキストＴＥ７（会社名「ブラザー工業」）、テキストＴＥ８（部署名「営業部」）、及びテキストＴＥ９（氏名「瑞穂  和子」）が、上記見本タグＴ３の対応する見本テキスト印字ＭＴ１，ＭＴ２，ＭＴ３をそれぞれ置き換えている。なお、フレームＦｒ及びマークＭａ１は、上記見本タグＴ３とほぼ同等の位置に印字されている。
【０１２９】
図１８（ａ）は、上記見本タグＴ３に備えられる無線タグ回路素子ＴｏのＩＣ回路部１５０のメモリ部１５５の記憶内容の一例を概念的に表す図であり、上記実施形態の図７（ａ）や図７（ｂ）に対応する図である。
【０１３０】
図１８（ａ）において、メモリ部１５５には、上記図７（ａ）のテンプレートタグＴ１と同様のタグＩＤ、コマンド、及び上記テンプレート情報と、上記図７（ｂ）のデータタグＴ２とほぼ同様の上記見本テキスト情報とが記憶されている。上記テンプレート情報には、上記実施形態と同様、テキスト挿入欄Ｓｐ１〜Ｓｐ３（図６参照）、フレームＦｒ、マークＭａ１，Ｍａ２等の位置、大きさ、形態等に関する情報が含まれている。上記見本テキスト情報には、図１７を用いて前述したように、テキスト挿入欄Ｓｐ１，Ｓｐ２，Ｓｐ３にそれぞれ対応した、氏名（図１７の「河岸  太郎」）、部署名（図１７の「開発部」）、会社名（図１７の「ブラザー工業」）が少なくとも含まれている。
【０１３１】
図１８（ｂ）は、上記データタグＴ２に備えられるメモリ部１５５の記憶内容の一例を概念的に表す図であり、前述の図７（ｂ）と同様であるので説明を省略する。
【０１３２】
図１９は、本変形例において、前述の図１２のフローに対応して、ラベル作成装置３００の制御回路３１１によって実行される制御内容を表すフローチャートであり、前述の図１３、図１５、及び図１６に対応する図である。図１３等と同等の部分には同一の符号を付し、適宜説明を省略又は簡略化する。
【０１３３】
まず、ステップＳ３４４で、前述の図１２のステップＳ３３１においてリーダ２００から転送された、見本タグＴ３に対応するタグＩＤ、コマンド、テンプレート情報、及び見本テキスト情報を含んだデータが、接続手段２を介して入力されたか否かを判定する。リーダ２００から上記データが入力されていなければ判定が満たされずループして待機し、リーダ２００から上記データが入力された場合、判定が満たされてステップＳ３４５に移る。
【０１３４】
ステップＳ３４５では、データ変換部３０ａ（図３参照）の機能により、上記ステップＳ３４４で入力したデータに含まれるテンプレート情報及び見本テキスト情報に対しデータ変換を行い、ラベルテープ３０３に対する印字内容を表すテンプレート及び見本テキストに対応する印字駆動データを生成する。そして、上記印字バッファ部３０ｂの機能により、上記データ変換部３０ａで生成したテンプレート及び見本テキストに対応する印字駆動データを、バッファ上に展開して記憶する。
【０１３５】
その後、ステップＳ３４６で、前述の図１２のステップＳ３３１においてリーダ２００から転送された、データタグＴ２に対応するタグＩＤ、コマンド、及びテキスト情報を含んだデータが、接続手段２を介して入力されたか否かを判定する。リーダ２００から上記データが入力されていなければ判定が満たされずループして待機し、リーダ２００から上記データが入力された場合、判定が満たされて（言い換えれば、上記印刷開始条件が満たされて）ステップＳ３６５に移る。すなわち、この例では、前述の印刷開始条件として、見本タグＴ３からのテンプレート情報及び見本テキスト情報と、データタグＴ２からのテキスト情報とが取得されたことを契機に、合成印字データを用いて印字ラベルＬの作成が開始されるように予め設定されている。
【０１３６】
ステップＳ３６５では、上記図１３のステップＳ３６０と同様、上記ステップＳ３４６で入力したデータに含まれるテキスト情報に対し、データ変換を行い印字駆動データを生成し、上記ステップＳ３４５で生成したテンプレート及び見本テキストに対応する印字駆動データが展開されているバッファ上の、見本テキスト部分を、このステップＳ３６５で生成したテキストに対応する印字駆動データに置き換える。言い換えれば見本タグＴ３のテンプレートに対応する印字駆動データと、データタグＴ２のテキストに対応する印字駆動データとを合成する。これにより、結果として、テンプレート情報及び見本テキスト情報の組み合わせに対応した合成印字データが生成される（印字情報生成手段としての機能）。
【０１３７】
その後のステップＳ３７０以降の手順は、前述の図１３と同様であるので説明を省略する。
【０１３８】
以上において、上記図１９のフローに示す全手順と、前述の図１４のフローに示す全手順とが、特許請求の範囲各項記載の第２制御手段として機能する。
【０１３９】
なお、上記フローチャートは本発明を上記フローに示す手順に限定するものではなく、発明の趣旨及び技術的思想を逸脱しない範囲内で手順の追加・削除又は順番の変更等をしてもよい。
【０１４０】
以上説明したように、本変形例によれば、操作者が見本タグＴ３及びデータタグＴ２に対し情報読み取りを行うだけで、見本タグＴ３のテンプレート情報にデータタグＴ２のテキスト情報を組み合わせて用いた（言い換えれば、見本タグＴ３のテンプレート及び見本テキスト印字のうち見本テキスト印字部分をデータタグＴ２のテキスト印字で置き換えたのと同等の）、印字ラベルＬを作成することができる。また、このとき特に、見本タグＴ３からのテンプレート情報及び見本テキスト情報と、データタグＴ２からのテキスト情報とが取得されたら自動的に印字ラベルＬが作成される。
【０１４１】
これにより、操作者がテンプレートにテキストを挿入した態様の所望の印字ラベルＬを作成したい場合は、その所望の態様をテンプレートとテキストとに分割し、当該テンプレートに対応する見本タグＴ３と、当該テキストに対応するデータタグＴ２とに対し、順次読み取りを行う（あるいはその逆のデータタグＴ２→見本タグＴ３の順でもよい）ことで、自動的に容易に当該印字ラベルＬを完成することができる。この結果、一般のラベル作成装置のように各種ボタンを操作したり、あるいはラベル作成装置に操作端末を接続してキーやマウスを操作して、印字テキストの入力や印字態様の設定を行う（テンプレートを読み出して選択し、さらに印字テキストを入力する等）場合に比べて、操作者の操作労力を大きく低減することができる。
【０１４２】
（２）所定時間経過したら自動的に印字ラベルＬの作成を行う場合
以上においては、印刷開始条件として、無線タグＴの種類数（前述の例では、テンプレートタグＴ１とデータタグ、又は、見本タグＴ３とデータタグＴ２からの情報取得）を設定していたが、これに限られない。すなわち、時間範囲に関する印刷開始条件（例えば、最初に無線タグＴから情報取得してから１分経過する等）を設定してもよい。
【０１４３】
図２０は、本変形例において組み合わせて使用される複数（この例では３個）の無線タグＴ４，Ｔ５，Ｔ６と、それらを用いた合成印字データにより作成される印字ラベルＬの外観の一例を表す図である。
【０１４４】
図２０において、この例では、最初に情報取得させる無線タグＴ（この例では、無線タグＴ４）と、その最初の情報取得から所定時間（この例では、１分）内に情報取得を行った無線タグＴ５及び無線タグＴ６との、合計３枚の無線タグＴ４，Ｔ５，Ｔ６から取得した印字関連情報を用いて印字ラベルＬを作成する。
【０１４５】
無線タグＴ４は、上記無線タグ回路素子Ｔｏのメモリ部１５５に、印字関連情報としての会社名情報を記憶している。また、無線タグＴ４の印字領域Ｓｔには、当該記憶情報に対応して、タグ名称Ｔａ１（この例では「会社名」）と、上記会社名情報に対応したテキスト印字ＴｅＣ（この例では「ブラザー工業」）とが印字されている。
【０１４６】
無線タグＴ５は、上記無線タグ回路素子Ｔｏのメモリ部１５５に、印字関連情報としての部署名情報を記憶している。また、無線タグＴ５の印字領域Ｓｔには、当該記憶情報に対応して、タグ名称Ｔａ２（この例では「部署名」）と、上記当該部署名情報に対応したテキスト印字ＴｅＤ（この例では「庶務課」）とが印字されている。
【０１４７】
無線タグＴ６は、上記無線タグ回路素子Ｔｏのメモリ部１５５に、印字関連情報としての氏名情報を記憶している。また、無線タグＴ６の印字領域Ｓｔには、当該記憶情報に対応して、タグ名称Ｔａ３（この例では「氏名」）と、上記氏名情報に対応したテキスト印字Ｔｅ（この例では「春日井  史郎」）とが印字されている。
【０１４８】
そして、前述したようにリーダ２００が上記３枚の無線タグＴ４〜Ｔ６より情報取得を行うことにより、それぞれから取得された上記３つの印字関連情報（会社名情報、部署名情報、氏名情報）に基づき、これら３つの印字関連情報の組み合わせに対応したテキストが印字された印字ラベルＬが、ラベル作成装置３００により作成される。
【０１４９】
この例では、印字ラベルＬは、上記無線タグＴ４の上記会社名情報に対応したテキストＴＥ１０（図示の「ブラザー工業」）と、上記無線タグＴ５の上記部署名情報に対応したテキストＴＥ１１（図示の「庶務課」）と、上記無線タグＴ６の氏名情報に対応したテキストＴＥ１２（図示の「春日井  史郎」）とが、情報を取得した順序で上側から印字領域Ｓｌの所定の位置に印字されている。
【０１５０】
図２１（ａ）、図２１（ｂ）、図２１（ｃ）は、上記無線タグＴ４、無線タグＴ５、無線タグＴ６に備えられる無線タグ回路素子ＴｏのＩＣ回路部１５０のメモリ部１５５の記憶内容の一例を、それぞれ概念的に表す図である。
【０１５１】
図２１（ａ）に示す無線タグＴ４のメモリ部１５５には、前述と同様のタグＩＤ及びコマンドと、上記会社名情報（図２０の「ブラザー工業」）とが記憶されている。図２１（ｂ）に示す無線タグＴ５のメモリ部１５５には、上記タグＩＤ及びコマンドと、上記部署名情報（図２０の「庶務課」）とが記憶されている。図２１（ｃ）に示す無線タグＴ６のメモリ部１５５には、上記タグＩＤ及びコマンドと、上記氏名情報（図２０の「春日井  史郎」）とが記憶されている。
【０１５２】
図２２は、本変形例において、前述の図１２のフローに対応して、ラベル作成装置３００の制御回路３１１によって実行される制御内容を表すフローチャートであり、前述の図１３等に対応する図である。上記図１３等と同等の部分には同一の符号を付し、適宜説明を省略又は簡略化する。
【０１５３】
まず、ステップＳ３３２で、ラベル作成装置３００の図示しないタイマ等の計時手段の計時時間を０にリセットし、ステップＳ３３５に移る。
【０１５４】
ステップＳ３３５では、前述の図１２のステップＳ３３１においてリーダ２００から転送された、上記無線タグＴ（この例では無線タグＴ４，Ｔ５，Ｔ６のいずれか）に対応するタグＩＤ、コマンド、及び印字関連情報（前述の例では、会社名情報、部署名情報、氏名情報）を含んだデータが、接続手段２を介して入力されたか否かを判定する。リーダ２００から上記データが入力されていなければ判定が満たされずループして待機し、リーダ２００から上記データが入力された場合、判定が満たされてステップＳ３４０に移る。
【０１５５】
ステップＳ３４０では、上記計時手段により、リーダ２００が１つの無線タグＴから印字関連情報を取得してから（リーダ２００からラベル作成装置３００に対応する印字関連情報を入力してから）の時間を計時中か否かを判定する。計時中でなかった場合には、判定が満たされずステップＳ３４７に移り、上記計時手段により計時開始し、ステップＳ３４８に移る。
【０１５６】
ステップＳ３４８では、データ変換部３０ａの機能により、上記ステップＳ３３５で入力したデータに含まれる印字関連情報に対し、データ変換を行い、印字駆動データを生成する。そして、印字バッファ部３０ｂの機能により、上記データ変換部３０ａで生成した印字駆動データを、バッファ上に展開して記憶する。その後、ステップＳ３６７に移る。
【０１５７】
一方、上記ステップＳ３４０において、上記計時手段により、リーダ２００が１つの無線タグＴから印字関連情報を取得してから（リーダ２００からラベル作成装置３００に対応する印字関連情報を入力してから）の時間を計時中であった場合には、ステップＳ３４０の判定が満たされてステップＳ３６０″に移る。
【０１５８】
ステップＳ３６０″では、データ変換部３０ａの機能により、上記ステップＳ３３５で入力したデータに含まれる印字関連情報に対し、データ変換を行い、ラベルテープ３０３に対する印字内容に対応する印字駆動データを生成する。そして、印字バッファ部３０ｂの機能により、この時点で既に上記ステップＳ３４８で生成した印字駆動データが展開されているバッファ上に、このステップＳ３６０″で生成した印字駆動データを展開して（＝複数の印字関連情報に対応する印字駆動データを合成して）、複数の印字関連情報の組み合わせに対応した合成印字データを生成し（印字情報生成手段としての機能）、記憶する。そして、ステップＳ３６７に移る。
【０１５９】
ステップＳ３６７では、上記計時手段の計時結果に基づき、上記ステップＳ３４７で計時開始してから（リーダ２００からラベル作成装置３００に対応する印字関連情報を入力してから）の時間が、所定時間（例えば１分）経過したか否かを判定する。上記時間が所定時間を経過していなければ判定が満たされず、ステップＳ３３５に戻り同様の手順を繰り返す。上記時間が所定時間を経過していれば判定が満たされて（言い換えれば、上記印刷開始条件が満たされて）ステップＳ３７０に移る。すなわち、この例では、前述の印刷開始条件として、１つの無線タグＴから印字関連情報が取得されてから１分以内にさらに少なくとも１つの他の無線タグＴから印字関連情報が取得された場合に、それらすべての無線タグＴの印字関連情報の合成印字データを用いて印字ラベルＬの作成が開始されるように予め設定されている。
【０１６０】
その後のステップＳ３７０以降の手順は、前述の図１３と同様であるので説明を省略する。
【０１６１】
以上において、上記図２２のフローに示す全手順と、前述の図１４のフローに示す全手順とが、特許請求の範囲各項記載の第２制御手段として機能する。
【０１６２】
なお、上記フローチャートは本発明を上記フローに示す手順に限定するものではなく、発明の趣旨及び技術的思想を逸脱しない範囲内で手順の追加・削除又は順番の変更等をしてもよい。
【０１６３】
本変形例においては、所定時間内に複数の無線タグＴ４〜Ｔ６から印字関連情報が取得されたら、操作者が特に操作しなくても自動的に印字ラベルＬの作成を行うことができる。この結果、上記実施形態や（１）の変形例と同様、操作者の手動操作に基づきラベル作成を行う場合に比べ、操作者の労力負担を低減でき、また、操作者の操作忘れによるラベル作成不実行のまま放置等の不都合を回避することもできる。
【０１６４】
（３）所定枚数の無線タグＴから情報を取得したら自動的に印字ラベルＬの作成を行う場合
上記以外にも、無線タグＴの枚数範囲（例えば、２枚の無線タグＴから情報取得されたら印字ラベルＬを作成する）に関する印刷開始条件を設定してもよい。
【０１６５】
図２３は、本変形例において、前述の図１２のフローに対応して、ラベル作成装置３００の制御回路３１１によって実行される制御内容を表すフローチャートであり、前述の図１３等に対応する図である。上記図１３等と同等の部分には同一の符号を付し、適宜説明を省略又は簡略化する。
【０１６６】
まず、ステップＳ３３４で、無線タグＴの枚数をカウントするカウント値ＮをＮ＝０にリセットする。
【０１６７】
その後、上記図２２と同様のステップＳ３３５に移り、リーダ２００から転送されたタグＩＤ、コマンド、及び印字関連情報を含んだデータが入力されたか否かを判定する。リーダ２００から上記データが入力されたら判定が満たされ、ステップＳ３４２に移る。
【０１６８】
ステップＳ３４２では、上記カウント値Ｎ＝０であるか否か（言い換えれば、印字駆動データがバッファ上に記憶されているか否か）を判定する。上記カウント値Ｎ＝０であった場合には、図２２と同様のステップＳ３４８に移り、上記ステップＳ３３５で入力したデータに含まれる印字関連情報に対し、データ変換を行い印字駆動データを生成し、バッファ上に展開して記憶する。その後、ステップＳ３６８に移る。
【０１６９】
一方、上記ステップＳ３４２において、上記カウント値Ｎが０でなかった場合には、ステップＳ３４２の判定が満たされず、図２２と同様のステップＳ３６０″に移り、上記ステップＳ３３５で入力したデータに含まれる印字関連情報に対しデータ変換を行い印字駆動データを生成し、既に上記ステップＳ３４８で生成した印字駆動データが展開されているバッファ上に展開し（印字情報生成手段としての機能）、記憶する。そして、ステップＳ３６８に移る。
【０１７０】
ステップＳ３６８では、上記カウント値Ｎに１を加え、ステップＳ３６９に移る。
【０１７１】
ステップＳ３６９では、上記カウント値Ｎが所定の個数（この例では、Ｎ＝２）に達したか否かを判定する。上記カウント値Ｎが２に達していなければ判定は満たされず、ステップＳ３３５に戻り同様の手順を繰り返す。上記カウント値Ｎが２に達したら判定が満たされてステップＳ３７０に移る。すなわち、この例では、前述の印刷開始条件として、操作者が設定した枚数（この例では２枚）の無線タグＴから印字関連情報が取得（リーダ２００からラベル作成装置３００に上記２枚の無線タグＴに対応する印字関連情報が入力）されたら、それら２枚の無線タグＴから取得した（入力した）２つの印字関連情報の組み合わせに対応した合成印字データを用いて印字を行い、自動的に印字ラベルＬの作成が開始されるように予め設定されている。
【０１７２】
その後のステップＳ３７０以降の手順は、前述の図１３と同様であるので説明を省略する。
【０１７３】
以上において、上記図２３のフローに示す全手順と、前述の図１４のフローに示す全手順とが、特許請求の範囲各項記載の第２制御手段として機能する。
【０１７４】
なお、上記フローチャートは本発明を上記フローに示す手順に限定するものではなく、発明の趣旨及び技術的思想を逸脱しない範囲内で手順の追加・削除又は順番の変更等をしてもよい。
【０１７５】
本変形例においては、所定枚数の無線タグＴから印字関連情報が取得されたら、操作者が特に操作しなくても自動的に印字ラベルＬの作成を行うことができる。この結果、上記実施形態等と同様、操作者の手動操作に基づきラベル作成を行う場合に比べ、操作者の労力負担を低減することができる。また、操作者の操作忘れによるラベル作成不実行のまま放置等の不都合を回避することもできる。
【０１７６】
（４）印刷開始の操作により印字ラベルＬを作成する場合
以上においては、リーダ２００における情報取得に関し、所定の印刷開始条件が満たされたら、自動的に印字ラベルＬの作成を開始していたが、これに限られない。すなわち、操作者の印刷開始の操作（指示）により（＝手動により）、印字ラベルＬの作成を開始するようにしてもよい。
【０１７７】
図２４は、本変形例における印字ラベル作成システムＬＳの全体構成を表すシステム構成図であり、前述の図１に対応する図である。図１と同等の部分には同符号を付し適宜説明を省略する。
【０１７８】
図２４において、本変形例のラベル作成装置３００は、表示部３０１に加え、前述した合成印字データ（図９下段参照）を用いた印字ラベルＬの印刷開始を指示するための操作部３０２（操作手段）を新たに備えている。この操作部３０２により印字ラベルＬの印刷開始が指示された場合、時間又は無線タグＴの枚数に関する所定範囲内において（この例では、後述するように、リーダ２００の動作開始後から当該印刷開始指示があるまでに）リーダ２００で取得した、すべての印字関連情報の組み合わせに対応した合成印字データを用いて印字が行われ、印字ラベルＬが作成される。
【０１７９】
図２５は、本変形例において、前述の図１２のフローに対応して、ラベル作成装置３００の制御回路３１１によって実行される制御内容を表すフローチャートであり、前述の図１３等に対応する図である。図１３等と同等の部分には同一の符号を付し、適宜説明を省略又は簡略化する。
【０１８０】
まず、ステップＳ３３３で、前述した印字駆動データがバッファ上に展開されて記憶されていることを表すフラグＦを０に初期化する。
【０１８１】
その後、ステップＳ３３５は、前述の図２２と同様であり、前述の図１２のステップＳ３３１においてリーダ２００から転送されたタグＩＤ、コマンド、及び印字関連情報を含んだデータが入力されたか否かを判定する。リーダ２００から上記データが入力されていなければ判定が満たされずループして待機し、リーダ２００から上記データが入力された場合、判定が満たされてステップＳ３３６に移る。
【０１８２】
ステップＳ３３６では、上記フラグＦ＝０であるか否かを判定する。フラグＦ＝０のままとなっている場合には、図２２と同様のステップＳ３４８に移り、上記ステップＳ３３５で入力したデータに含まれる印字関連情報に対しデータ変換を行い印字駆動データを生成しバッファ上に展開して記憶する。そして、ステップＳ３５８に移り、上記フラグＦ＝１とし、ステップＳ３７０に移る。
【０１８３】
一方、上記ステップＳ３３６において、上記ステップＳ３４８で既に上記印字駆動データがバッファ上に展開されて記憶されていた場合には、フラグＦ＝１となっているため判定が満たされずステップＳ３６０″に移る。
【０１８４】
ステップＳ３６０″は、前述の図２２と同様、上記ステップＳ３３５で入力したデータに含まれる印字関連情報に対しデータ変換を行い印字駆動データを生成し、上記ステップＳ３４８で生成した印字駆動データが展開されているバッファ上に展開して合成印字データとし（印字情報生成手段としての機能）記憶する。そして、ステップＳ３７０に移る。
【０１８５】
ステップＳ３７０は、前述の図１３と同様であり、上記合成印字データに基づく表示を表示部３０１に表示させる。
【０１８６】
その後、ステップＳ３７３に移り、操作者により上記ステップＳ３６０″で生成した合成印字データ（あるいは、上記ステップＳ３４８で生成した印字駆動データ）を用いた印字ラベルＬの印刷開始を指示する操作が、操作部３０２を介して行われたか否かを判定する。この判定は、例えば表示部３０１に「ラベルの印刷を開始しますか？」等の操作者の操作を促す表示を行い、これにより操作者が操作部３０２を用いて入力した信号に基づいて行ってもよい。上記印刷開始を指示する操作が行われなかった場合（又は、上記操作者の操作を促す表示を表示部３０１に表示後、所定時間経過した場合としてもよい）には判定が満たされず、ステップＳ３３５に戻り同様の手順を繰り返す。上記印刷開始を指示する操作が行われた場合には判定が満たされてステップＳ４００′に移る。
【０１８７】
ステップＳ４００′では、前述の図１３のステップＳ４００と同様、上記入力したコマンドに基づきラベル作成処理を実行し（詳細内容は前述の図１４と同様）、ラベルテープ３０３に対しリーダ２００の動作開始後から上記ステップＳ３７３における印刷開始指示があるまでにリーダ２００で取得した、すべての無線タグＴに係わる印字関連情報の組み合わせに対応した合成印字データを用いて印字を行い、印字ラベルＬを作成する。そして、本フローを終了する。
【０１８８】
以上において、上記図２５のフローに示す全手順と、前述の図１４のフローに示す全手順とが、特許請求の範囲各項記載の第１制御手段として機能する。
【０１８９】
なお、上記フローチャートは本発明を上記フローに示す手順に限定するものではなく、発明の趣旨及び技術的思想を逸脱しない範囲内で手順の追加・削除又は順番の変更等をしてもよい。
【０１９０】
本変形例によれば、複数の無線タグＴから複数の印字関連情報の取得が終わった後、操作者の確実なラベル作成の意志（言い換えれば、それら複数の無線タグＴを用いた印字合成への了解）を確認した上で、印字ラベルＬの作成を行うことができる。また、複数の印字関連情報を組み合わせた合成印字データが表示部３０１で表示された際（ステップＳ３７０）、上記合成印字データの表示後に操作者により操作部２０２を介して印刷開始の指示がされるのを待つので（ステップＳ３７３）、確実に操作者の意志や了解を反映することができる。そして、これらの結果、上記実施形態や上記（１）（２）（３）の変形例のように自動で印字ラベルＬの作成を開始する場合に比べ、作成される印字ラベルＬの信頼性を高めることができる。
【０１９１】
また、操作部３０２により印刷開始が指示された場合、リーダ２００の動作開始後から当該印刷開始指示があるまでに、リーダ２００が前述の図１２のステップＳ３３０において取得したすべての印字関連情報の組み合わせに対応した合成印字データを生成する（ステップＳ３６０″）。そして、この生成した合成印字データを用いて印字を行い印字ラベルＬを作成する（ステップＳ４００′）。これにより、操作者は、組み合わせたい印字内容にそれぞれ対応した無線タグＴが何枚あったとしても、それらの無線タグＴに対しリーダ２００で順次読み取りを行わせた後、操作部３０２を操作して印刷開始を指示するだけで、それまで読み取ったすべての印字関連情報を組み合わせて印字ラベルＬを作成することができる。
【０１９２】
（５）その他
なお、以上においては、印字の終了したラベルテープ３０３をカッタ３０７で切断して印字ラベルＬを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙のみをテープから剥がして印字ラベルＬを作成しても良く、本発明はこのようなものに対しても適用できる。
【０１９３】
また、以上においては、ラベルテープ３０３に備えられた被印字テープ層に印字を行う方式（貼りあわせを行わないタイプ）に本発明を適用した場合を例にとって説明したが、これに限られず、ラベルテープ３０３とは別の被印字媒体に印字を行ってこれらを貼り合わせる方式に本発明を適用してもよい。
【０１９４】
また、以上においては、テープがリール部材の周りに巻回されてロールを構成し、そのロールからラベルテープ３０３が繰り出される場合を例にとって説明したが、これに限られない。例えば、長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをラベル作成装置３００側のカートリッジホルダに装着して、上記収納部から移送、搬送して印字を行い印字ラベルＬを作成するようにしてもよい。またラベルテープロール３０４を回転可能に収納したカートリッジをカートリッジホルダに装着して用いてもよい。
【０１９５】
さらには上記ロールを直接ラベル作成装置３００側に着脱可能に装着する構成や、長尺平紙状あるいは短冊状のテープやシートをラベル作成装置３００外より１枚ずつ所定のフィーダ機構によって移送しラベル作成装置３００内へ供給する構成も考えられる。これらの場合も同様の効果を得る。
【０１９６】
また、以上既に述べた以外にも、上記実施形態や各変形例による手法を適宜組み合わせて利用しても良い。
【０１９７】
その他、一々例示はしないが、本発明は、その趣旨を逸脱しない範囲内において、種々の変更が加えられて実施されるものである。
【図面の簡単な説明】
【０１９８】
【図１】本実施形態の印字ラベル作成システムの全体構成を表すシステム構成図である。
【図２】印字ラベル作成システムの機能構成を表す機能ブロック図である。
【図３】制御回路のデータ変換機能を含む機能ブロック図である。
【図４】リーダの高周波回路の詳細構成を表す機能ブロック図である。
【図５】無線タグに備えられる無線タグ回路素子の機能的構成の一例を表す機能ブロック図である。
【図６】テンプレートタグ、データタグ、及び作成された印字ラベルの外観の一例を表す図である。
【図７】テンプレートタグ及びデータタグに備えられる無線タグ回路素子のＩＣ回路部のメモリ部の記憶内容の一例を概念的に表す図である。
【図８】テンプレートタグ、データタグ、及び作成された印字ラベルの外観の一例を表す図である。
【図９】印字バッファ部のバッファ上に展開した印字駆動データにより、合成印字データの作成手順の一例を概念的に説明する図である。
【図１０】テンプレート情報及びテキスト情報の組み合わせに対応した合成印字データを用いて作成された印字ラベルの外観の一例を表す上面図である。
【図１１】図１０中ＸＩ−ＸＩ′断面による横断面図を９０°回転させて示す図である。
【図１２】リーダの高周波回路、アンテナ、及びインターフェースで実行される動作内容を表す動作フローを表す図である。
【図１３】ラベル作成装置の制御回路によって実行される制御内容を表すフローチャートである。
【図１４】ステップＳ４００の詳細手順を表すフローチャートである。
【図１５】データタグに情報読み取りを行った後、テンプレートタグに情報読み取りを行う場合において、ラベル作成装置の制御回路によって実行される制御内容を表すフローチャートである。
【図１６】テンプレートタグ及びデータタグの情報読み取りを行う順序を特に区別せずに情報読み取りを行う場合において、ラベル作成装置の制御回路によって実行される制御内容を表すフローチャートである。
【図１７】見本タグから情報取得を行う変形例において、見本タグ、データタグ、及び作成された印字ラベルの外観の一例を表す図である。
【図１８】見本タグ及びデータタグに備えられる無線タグ回路素子のＩＣ回路部のメモリ部の記憶内容の一例を概念的に表す図である。
【図１９】ラベル作成装置の制御回路によって実行される制御内容を表すフローチャートである。
【図２０】所定時間経過したら自動的に印字ラベルの作成を行う変形例において、複数の無線タグ及び作成された印字ラベルの外観の一例を表す図である。
【図２１】各無線タグに備えられる無線タグ回路素子のＩＣ回路部のメモリ部の記憶内容の一例を概念的に表す図である。
【図２２】ラベル作成装置の制御回路によって実行される制御内容を表すフローチャートである。
【図２３】所定枚数の無線タグから情報を取得したら自動的に印字ラベルの作成を行う変形例において、ラベル作成装置の制御回路によって実行される制御内容を表すフローチャートである。
【図２４】印刷開始の操作により印字ラベルを作成する変形例において、印字ラベル作成システムの全体構成を表すシステム構成図である。
【図２５】ラベル作成装置の制御回路によって実行される制御内容を表すフローチャートである。
【符号の説明】
【０１９９】
１５０            ＩＣ回路部
１５１            タグアンテナ
２００            リーダ（無線タグ通信装置）
２０３            アンテナ（通信アンテナ）
３００            ラベル作成装置
３０１            表示部（表示手段）
３０２            操作部（操作手段）
３０３            ラベルテープ（被印字媒体）
３０５            印字ヘッド（印字手段）
３０８            搬送ローラ（搬送手段）
３１１            制御回路
Ｌ                印字ラベル（印字付きラベル）
ＬＳ              印字ラベル作成システム
Ｓｌ              印字領域
Ｓｔ              印字領域
Ｔ１              テンプレートタグ（第１無線タグ）
Ｔ２              データタグ（第２無線タグ）
Ｔ３              見本タグ（第３無線タグ）
Ｔ４〜６          無線タグ
Ｔｏ              無線タグ回路素子
【図１】
2010099887.tif 000003
【図２】
2010099887.tif 000004
【図３】
2010099887.tif 000005
【図４】
2010099887.tif 000006
【図５】
2010099887.tif 000007
【図６】
2010099887.tif 000008
【図７】
2010099887.tif 000009
【図８】
2010099887.tif 000010
【図９】
2010099887.tif 000011
【図１０】
2010099887.tif 000012
【図１１】
2010099887.tif 000013
【図１２】
2010099887.tif 000014
【図１３】
2010099887.tif 000015
【図１４】
2010099887.tif 000016
【図１５】
2010099887.tif 000017
【図１６】
2010099887.tif 000018
【図１７】
2010099887.tif 000019
【図１８】
2010099887.tif 000020
【図１９】
2010099887.tif 000021
【図２０】
2010099887.tif 000022
【図２１】
2010099887.tif 000023
【図２２】
2010099887.tif 000024
【図２３】
2010099887.tif 000025
【図２４】
2010099887.tif 000026
【図２５】
2010099887.tif 000027